(57)【要約】【課題】ユーザにとって使い勝手の良い装置、方法、及びプログラムを提供する必要がある。【解決手段】複数のアイコンが含まれ、フォルダ名称が設定されているフォルダ５２から、前記複数のアイコンのうちのいずれかのアイコンが削除若しくは前記フォルダ外に移動され、又は前記フォルダに他のアイコンが追加された場合、前記フォルダに設定されているフォルダ名称を前記フォルダ内のアイコンに応じて更新するコントローラ１０を備える装置。【選択図】図１
2014215874.tif 000002
【特許請求の範囲】
【請求項１】
複数のアイコンが含まれ、フォルダ名称が設定されているフォルダから、前記複数のアイコンのうちのいずれかのアイコンが削除若しくは前記フォルダ外に移動され、又は前記フォルダに他のアイコンが追加された場合、前記フォルダに設定されているフォルダ名称を前記フォルダ内のアイコンに応じて更新する制御部を備える装置。
【請求項２】
前記制御部は、前記フォルダに設定されているフォルダ名称を前記フォルダ内のアイコンであって直近に追加されたアイコンに応じて更新する請求項１に記載の装置。
【請求項３】
アイコンとフォルダ名称とを対応付けて記憶する記憶部をさらに備え、
前記制御部は、前記フォルダ名称を更新する際に、前記フォルダ内に前記記憶部に記憶されたアイコンが含まれる場合には、当該アイコンに対応付けられたフォルダ名称に更新する請求項１又は２に記載の装置。
【請求項４】
複数のアイコンとフォルダ名称とを対応付けて記憶する記憶部をさらに備え、
前記制御部は、前記フォルダ名称を更新する際に、前記フォルダ内に前記記憶部に記憶された複数のアイコンが含まれる場合には、当該複数のアイコンに対応付けられたフォルダ名称に更新する請求項１又は２に記載の装置。
【請求項５】
前記制御部は、更新後のフォルダ名称が他のフォルダ名称と同じ名称になる場合、当該更新後のフォルダ名称に付加記号を付け加える請求項１から４のいずれか一項に記載の装置。
【請求項６】
前記制御部は、前記フォルダ名称が手動で設定又は変更された場合、フォルダ名称の更新を停止する請求項１から５のいずれか一項に記載の装置。
【請求項７】
表示部をさらに備え、
前記制御部は、前記表示部に前記フォルダと共に前記更新されたフォルダ名称を表示させる請求項１から６のいずれか一項に記載の装置。
【請求項８】
複数のアイコンが含まれ、フォルダ名称が設定されているフォルダから、前記複数のアイコンのうちのいずれかのアイコンが削除若しくは前記フォルダ外に移動され、又は前記フォルダに他のアイコンが追加された場合、前記フォルダに設定されているフォルダ名称を前記フォルダ内のアイコンに応じて更新する方法。
【発明の詳細な説明】
【技術分野】
【０００１】
本出願は、装置及び方法に関する。特に、本出願は、タッチスクリーンを有する装置、その装置を制御する方法に関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、ホーム画面と呼ばれる画面をディスプレイに表示する。ホーム画面には、アイコンと呼ばれるオブジェクトが配置される。タッチスクリーンデバイスは、アイコンに対するジェスチャを検出すると、ジェスチャが行われたアイコンに対応するアプリケーションを実行する。
【０００６】
タッチスクリーンデバイスにインストールされるアプリケーションの数が増えるほど、ホーム画面に配置されるアイコンの数が増えるので、ホーム画面にアイコンを配置するスペースがなくなってしまう。このため、ホーム画面に配置されたアイコンを任意の単位でまとめてフォルダに収容して管理することにより、ホーム画面上のスペースを確保する仕組みがある。しかしながら、まとめてフォルダに収容した場合に当該フォルダ名を手動で入力しなければならないため、ユーザの手間がかかる。そのようなユーザの手間を省く手段として、まとめてフォルダに収容する当初に、当該収容したアイコンの内容に応じて自動的にフォルダ名を設定してくれる技術は従来存在したが、フォルダ内のアイコンを移動又は削除した場合やフォルダにアイコンを追加した場合であっても、フォルダ名は当初設定されたままの状態で変更されないので、フォルダ名と当該フォルダ内のアイコンの内容とに齟齬が生じ、必要に応じてユーザが手動でフォルダ名を修正しなければならず、ユーザにとっての使い勝手は必ずしも良くなかった。
【０００７】
よって、ユーザにとって使い勝手の良い装置、方法、及びプログラムを提供する必要がある。
【課題を解決するための手段】
【０００８】
本願発明に係る装置は、複数のアイコンが含まれ、フォルダ名称が設定されているフォルダから、前記複数のアイコンのうちのいずれかのアイコンが削除若しくは前記フォルダ外に移動され、又は前記フォルダに他のアイコンが追加された場合、前記フォルダに設定されているフォルダ名称を前記フォルダ内のアイコンに応じて更新する制御部を備える。
【０００９】
好適には、前記制御部は、前記フォルダに設定されているフォルダ名称を前記フォルダ内のアイコンであって直近に追加されたアイコンに応じて更新する。
アイコンとフォルダ名称とを対応付けて記憶する記憶部をさらに備え、
好適には、前記制御部は、前記フォルダ名称を更新する際に、前記フォルダ内に前記記憶部に記憶されたアイコンが含まれる場合には、当該アイコンに対応付けられたフォルダ名称に更新する。
【００１０】
好適には、複数のアイコンとフォルダ名称とを対応付けて記憶する記憶部をさらに備え、前記制御部は、前記フォルダ名称を更新する際に、前記フォルダ内に前記記憶部に記憶された複数のアイコンが含まれる場合には、当該複数のアイコンに対応付けられたフォルダ名称に更新する。
【００１１】
好適には、前記制御部は、更新後のフォルダ名称が他のフォルダ名称と同じ名称になる場合、当該更新後のフォルダ名称に付加記号を付け加える。
【００１２】
好適には、前記制御部は、前記フォルダ名称が手動で設定又は変更された場合、フォルダ名称の更新を停止する。
【００１３】
好適には、表示部をさらに備え、前記制御部は、前記表示部に前記フォルダと共に前記更新されたフォルダ名称を表示させる。
【００１４】
本願発明に係る方法は、複数のアイコンが含まれ、フォルダ名称が設定されているフォルダから、前記複数のアイコンのうちのいずれかのアイコンが削除若しくは前記フォルダ外に移動され、又は前記フォルダに他のアイコンが追加された場合、前記フォルダに設定されているフォルダ名称を前記フォルダ内のアイコンに応じて更新する。
【発明の効果】
【００１５】
ユーザにとって使い勝手の良い装置、方法、及びプログラムを提供することができる。
【図面の簡単な説明】
【００１６】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、実施例の第１パターンを示す図である。
【図７】図７は、実施例の第２パターンを示す図である。
【図８】図８は、アイコンと更新フォルダ名称の対応関係を示すテーブルである。
【図９】図９は、複数のアイコンと更新フォルダ名称の対応関係を示すテーブルである。
【図１０】図１０は、実施例の第３パターンを示す図である。
【発明を実施するための形態】
【００１７】
図面を参照しつつ実施形態を詳細に説明する。以下では、タッチスクリーンを備える装置の一例として、スマートフォンについて説明する。
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１８】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１９】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００２０】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００２１】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００２２】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２３】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００２４】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２５】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２６】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２７】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２８】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２９】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００３０】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３１】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。また、スマートフォン１は、アイコン５０を収容するフォルダを配置することができる。フォルダは、ホーム画面４０に当該フォルダのフォルダ名称と共に表示される。
【００３２】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００３３】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００３４】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３５】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３６】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３７】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３８】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３９】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００４０】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４１】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００４２】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４３】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００４４】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４５】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４６】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４７】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４８】
ストレージ９は、例えば、制御プログラム９Ａ、メールアプリケーション９Ｂ、ブラウザアプリケーション９Ｃ、使用状況データ９Ｙ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。使用状況データ９Ｙは、スマートフォン１にインストールされているアプリケーションの使用状況に関する情報を含む。例えば、使用状況データ９Ｙは、画面、行、列、画像、名前、インストール日時、使用回数、及び最終使用日時等の項目を有し、スマートフォン１にインストールされているアプリケーション毎にデータを保持する。設定データ９Ｚは、スマートフォン１の動作に関する各種の設定に関する情報を含む。
【００４９】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、フォルダに収容されたアイコンの数に応じてフォルダの表示態様を変化させる機能が含まれる。制御プログラム９Ａが提供する機能は、メールアプリケーション９Ｂ等の他のプログラムが提供する機能と組み合わせて利用されることがある。
【００５０】
ストレージ９は、アイコンと、フォルダに当該アイコンが収容された場合に当該フォルダの更新後のフォルダ名称とが対応付けられたテーブルを記憶している。
【００５１】
ストレージ９は、複数のアイコンと、フォルダに当該複数のアイコンが収容された場合に当該フォルダの更新後のフォルダ名称とが対応付けられたテーブルを記憶している。
【００５２】
コントローラ１０は、演算回路である。演算回路は、例えば、ＣＰＵ（Ｃｅｎｔｒａｌ
Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００５３】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００５４】
コントローラ１０は、例えば、制御プログラム９Ａを実行することにより、タッチスクリーン２Ｂを介して検出されたジェスチャに応じて、ディスプレイ２Ａに表示されている情報を変更する。
【００５５】
カメラ１２は、フロントフェイス１Ａに面している物体を撮影するインカメラである。カメラ１３は、バックフェイス１Ｂに面している物体を撮影するアウトカメラである。
【００５６】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ(登録商標)(Ｈｉｇｈ−Ｄｅｆｉｎｉｔｉｏｎ  Ｍｕｌｔｉｍｅｄｉａ  Ｉｎｔｅｒｆａｃｅ)、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５７】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５８】
図５においてストレージ９が記憶するプログラムの一部又は全部は、通信ユニット６による無線通信で他の装置からダウンロードされてもよい。図５においてストレージ９が記憶するプログラムの一部又は全部は、ストレージ９に含まれる読み取り装置が読み取り可能な非一過的な記憶媒体に記憶されていてもよい。図５においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５９】
図５に示したスマートフォン１の構成は一例であり、本出願の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００６０】
図６には、本願発明の実施例の第１パターンを示す。まず、コントローラ１０は、ホーム画面４０に、フォルダ名称「information」のフォルダ５２と複数のアイコン５０を表示させている状態（ステップＳ１）において、アイコン名称「Settings」のアイコン５０ａに対するタッチを検出した後、当該タッチに連続してフォルダ５２に重なる位置までのドラッグを検出すると、図８に示す、ストレージ９に記憶されたアイコンと更新後フォルダ名称とが対応付けられたテーブルを参照し、アイコン「Settings」に対応付けられたフォルダ名称「tool」をフォルダ５２の従来のフォルダ名称「information」から切り換えてフォルダ５２のフォルダ名称として表示する（ステップＳ２）。ここで、フォルダ名称「tool」の表示は点滅等、通常のフォルダ名称の表示とは異なる表示をさせることにより、「Setting」のアイコン５０ａが収容されたらフォルダ５２のフォルダ名称が「tool」に更新するのであってまだ更新されていないことを知らせてもよい。その後、コントローラ１０は、アイコン５０ａがフォルダ５２上で表示されている状態でアイコン５０ｃに対するタッチが維持された状態からリリースを検出すると、フォルダ５２内にアイコン５０ｃが収容され、フォルダ５２のフォルダ名称を「tool」に更新する（ステップＳ３）。ここで、更新とは、コントローラ１０がフォルダ５２のフォルダ名称を「information」から「tool」に切り換えてストレージ９に記憶することを意味する。一方で、コントローラ１０は、アイコン５０ａに対するタッチが継続した状態でフォルダ５２上から離れるドラッグを検出すると、ホーム画面４０に、フォルダ５２のフォルダ名称を「tool」から従来の「information」に戻して表示する。本実施例の第１パターンによって、ユーザは、フォルダ５２に対して新たにアイコン５０ａを収容した場合に、フォルダ５２に対して直近で収容されたアイコン５０ａに応じたフォルダ名称を知ることができ、現在、フォルダにどのようなアイコンが含まれているのかを正確に知ることができ、ユーザが使用したいアイコンがどのフォルダに収容されているかが分かり、ユーザの使い勝手が向上する。
【００６１】
図７には、本願発明の実施例の第２パターンを示す。ステップＳ３に引き続き、コントローラ１０は、ホーム画面４０に、フォルダ５２と共に更新後のフォルダ名称「tool」を表示し、複数のアイコン５０を表示している状態（ステップＳ４）において、フォルダ５２に対する所定の操作を検出すると、フォルダ５２内の複数のアイコンのうちアイコン名称「Setting」のアイコン５０ａがフォルダ５２から取り出された状態で表示する（ステップＳ５）。ここで、所定の操作とは、特に限定はしないが、例えば、フォルダ５２に対するロングタッチを検出すると、フォルダ５２内のアイコンが表示され、当該表示されたアイコンに対してタッチし、当該タッチを維持しつつ所定方向に対するドラッグすることを意味する。このとき、コントローラ１０は、フォルダ５２からフォルダ名称「Setting」のアイコン５０ａが取り出されたことを検出すると、図８に示す、ストレージ９に記憶されたアイコンとフォルダ名称とが対応付けられたテーブルを参照し、アイコン５０ｃがフォルダ５２に収容される直前にフォルダ５２に収容されたアイコン「Navigate」に対応付けられたフォルダ名称「information」にフォルダ５２のフォルダ名称を切り換えて表示する。
このときのフォルダ名称「information」の表示は、前述の本願発明の第１実施例のパターンと同様でもよい。さらに、コントローラ１０は、「Setting」のアイコン５０ａにタッチしている状態からリリースを検出すると、アイコン５０ａをホーム画面４０に他のアイコンと共に配置して表示すると共にフォルダ５２のフォルダ名称を「information」に更新する。更新の意味は、前述で説明した通りである。上記実施例によって、ユーザは、フォルダ５２からアイコン５０ａを移動した場合に、フォルダ５２に対してアイコン５０ａを収容する直前に収容されたアイコンに応じたフォルダ名称を知ることができ、現在、フォルダにどのようなアイコンが含まれているのかを正確に知ることができ、ユーザが使用したいアイコンがどのフォルダに収容されているかが分かり、ユーザの使い勝手が向上する。
【００６２】
図８は、アイコンと、当該アイコンがフォルダに収容されると、更新される更新フォルダ名称との対応関係を示す第１テーブルである。当該第１テーブルは、前述の通り、ストレージ９に記憶されている。一例として、第１テーブルには、「Settings」のアイコンと更新フォルダ名称「tool」、「Camera」のアイコンと更新フォルダ名称「hobby」、「Navigate」のアイコンと更新フォルダ名称「information」等が対応付けられている。
【００６３】
図９は、複数のアイコンと、当該複数のアイコンがフォルダに収容されると、更新されるフォルダ名称との対応関係を示すテーブルである。例えば、コントローラ１０は、フォルダに「Navigate」のアイコンが既に収容されている状態において、新たに「Camera」のアイコンが収容された場合、図９に示す、ストレージ９に記憶されたテーブルを参照し、フォルダ内の「Navigate」のアイコン及び「Camera」のアイコンに対応付けられたアイコン名称「trekking」にフォルダ名称を更新する。本実施例の第２パターンによって、ユーザは、フォルダに新たなアイコンが収容された場合、現在、フォルダに収容されている複数のアイコンがどのようなアイコンかをフォルダ名称を見ることで認識することができ、ユーザの使い勝手が向上する。
【００６４】
図１０は、本願発明の実施例の第３パターンを示す。まず、コントローラ１０は、ホーム画面４０において、フォルダ名称が「information」のフォルダ５２ａ、フォルダ名称が「tool」のフォルダ５２ｂ及び複数のアイコンを表示している（ステップＳ３１）。次に、コントローラ１０は、アイコン５０ｃに対するタッチ、当該タッチに連続したドラッグによってアイコン５０ａが移動され、フォルダ５２ａ上に位置していることを検出すると、図８に示す、ストレージ９に記憶されたアイコンとフォルダ名称とが対応付けられたテーブルを参照し、アイコン「Settings」に対応付けられたフォルダ名称「tool」がフォルダ５２ｂのフォルダ名称と同一であるので、フォルダ名称「tool」に付加記号２を付け加えてフォルダ名称「tool2」として表示する（ステップＳ３２）。なお、付加記号は２に限定されるわけではなく、ａ等でもよい。次に、コントローラ１０は、アイコン５０ａに対してタッチを検出している状態からリリースを検出すると、アイコン５０ａをフォルダ５２ａに収容し、フォルダ名称を「information」から「tool2」に更新する（ステップＳ３３）。本実施例の第３パターンによって、新たにアイコンが収容されたフォルダのフォルダ名称更新の際に他のフォルダのフォルダ名称が重なってしまう場合においても、区別可能にフォルダ名称を更新することができ、新たにアイコンが加えられたフォルダ内にどのようなアイコンが収容されているかを認識でき、ユーザの使い勝手が向上する。
【００６５】
また、上記実施例において、フォルダのフォルダ名称を更新するパターンのみを説明したが、例えば、コントローラ１０は、ユーザが手動でフォルダ名称を設定又は変更されたことを検出した場合には、フォルダ名称の更新を停止してもよい。この場合、フォルダに対して新たなアイコンが収容された場合やフォルダからアイコンが削除又は取り出された場合等にフォルダ名称が更新されず、ユーザが設定又は変更したフォルダ名称が維持される。これによって、ユーザが任意にフォルダ名称を設定又は変更した場合に意図せず自動でフォルダ名称が更新されてしまうことを防ぎ、ユーザの使い勝手を向上することができる。
【００６６】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【００６７】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｙ  使用状況データ
９Ｚ  設定データ
１０    コントローラ
１１    スピーカ
１２、１３  カメラ
１４    コネクタ
１５    加速度センサ
１６    方位センサ
１７    ジャイロスコープ
２０    ハウジング
【図１】
2014215874.tif 000003
【図２】
2014215874.tif 000004
【図３】
2014215874.tif 000005
【図４】
2014215874.tif 000006
【図５】
2014215874.tif 000007
【図６】
2014215874.tif 000008
【図７】
2014215874.tif 000009
【図８】
2014215874.tif 000010
【図９】
2014215874.tif 000011
【図１０】
2014215874.tif 000012